(57)【特許請求の範囲】
【請求項１】
容器の口頚部に装着される蓋本体、貫通流出路を有する流出筒及び外蓋から構成され、
該蓋本体は容器の口頚部の頂面を覆う主壁を有し、該主壁には流出孔が配設されており、
該流出筒は該蓋本体の該主壁の上面に旋回自在に装着されており、該主壁の該流出孔から上方に延びる流出位置においては該貫通流出路が該流出孔を介して容器内に連通せしめられ、閉鎖位置に倒伏せしめられると該貫通流出路が該流出孔と非連通にせしめられ、
該外蓋は閉位置と開位置との間を旋回自在に該蓋本体に装着されており、該閉位置においては該蓋本体の該主壁及び該流出筒を覆い、該開位置においては該蓋本体の該主壁及び該流出筒を露呈せしめ、
該外蓋が該閉位置から該開位置に旋回せしめられる際には、該外蓋は該閉鎖位置にある該流出筒に干渉して該流出筒を該閉鎖位置から該流出位置に起立せしめ、次いで該流出筒から離隔して該開位置に旋回せしめられ、
該外蓋が該開位置から該閉位置に旋回せしめられる際には、該外蓋は該流出位置にある該流出筒に干渉して該流出筒を該閉鎖位置にせしめて該閉位置にせしめられ、
該蓋本体の該主壁上には、所定値以上の押圧力が作用すると傾動せしめられる閉鎖位置規制片が配設されており、該流出筒が倒伏されて該閉鎖位置規制片に当接せしめられた後に、該流出筒を介して該閉鎖位置規制片に所定値以上の押圧力が加えられると、該閉鎖位置規制片が傾動せしめられて該流出筒が更に倒伏せしめられ、該流出筒を介しての押圧力が解除されると、該閉鎖位置規制片が弾性的に復元せしめられる、
ことを特徴とする容器蓋。
【請求項２】
該閉鎖位置規制片は薄肉下端部を有し、該薄肉下端部を旋回中心として旋回せしめられることによって傾動せしめられる、請求項１記載の容器蓋。
【請求項３】
該流出筒の旋回中心軸線と該外蓋の旋回中心軸線とは実質上平行に延びており、該外蓋の該旋回中心軸線は該流出筒の該旋回中心軸線よりも下方で且つ半径方向外方に位置せしめられている、請求項１又は２記載の容器蓋。
【請求項４】
該外蓋は円形天面壁と該天面壁の周縁から垂下する円筒状スカート壁とを有し、該外蓋が該閉位置から該開位置に旋回せしめられる際には該スカート壁の下端部内周面が該流出筒の先端部に干渉し、該外蓋が該開位置から該閉位置に旋回せしめられる際には該スカート壁の下端乃至下端部内周面が該流出筒の先端部に干渉する、請求項１から３までのいずれかに記載の容器蓋。
【請求項５】
該外蓋の該スカート壁の外周面上端部における、該外蓋の旋回中心軸線から最も離隔した位置には、半径方向外方に突出する把持突起が配設されている、請求項４記載の容器蓋。
【発明の詳細な説明】
【０００１】
【発明の属する技術分野】
本発明は、液体を収容した容器の口頸部に適用される容器蓋、更に詳しくは、容器内の液体を流出せしめるための流出筒を備えた容器蓋に関する。
【０００２】
【従来の技術】
飲料の如き液体を収容した容器の口頸部に適用される容器蓋として、実開昭６０−９６２５４号公報及び実開昭６０−９６２５５号公報には、容器の口頸部に装着される蓋本体及びこの蓋本体に装着された流出筒を具備した容器蓋が開示されている。蓋本体は円形主壁とこの主壁の周縁から垂下する円筒状スカート壁を有し、スカート壁が容器の口頸部の外周面に被嵌され、主壁が口頸部の頂面を覆う。主壁には流出孔が形成されている。流出筒は起立せしめられた流出位置と倒伏せしめられた閉鎖位置との間を旋回自在に蓋本体の主壁の上面に装着されている。流出筒には貫通流出路が規定されており、流出筒が流出位置に起立せしめられると、流出筒の貫通流出路が蓋本体の主壁における流出孔を介して容器内に連通せしめられ、従って、例えば流出筒を口に銜えて吸引することによって容器の内容物を飲むことができる。流出筒が閉鎖位置に倒伏せしめられると、貫通流出路が流出孔と非連通にせしめられる。
【０００３】
【発明が解決しようとする課題】
而して、上述した形態の従来の容器蓋には次のとおりの解決すべき問題が存在する。第一に、流出筒は常に露呈されており、流出筒を口に銜える場合に衛生上好ましくない。第二に、上記実開昭６０−９６２５４号公報に開示されている形態においては、流出筒を旋回せしめるためには流出筒に直接的に指を掛ける必要があり、この点からも衛生上好ましくない。一方、上記実開平６０−９６２５５号公報に開示されている形態においては、蓋本体の主壁に配設された旋回手段を操作することによって流出筒を旋回せしめることができるが、旋回手段自体の構成と共に旋回手段と流出筒との接続に関する構成に起因して製作が必ずしも容易でない。
【０００４】
上記第一の問題は、蓋本体に被嵌されて蓋本体の主壁と閉鎖位置に位置せしめられている流出筒とを覆う外蓋を付加することによって解決することができる。しかしながら、単に外蓋を付加した場合には、容器の内容物を流出せしめる際には、蓋本体に対して外蓋を開位置に移動或いは蓋本体から離脱し、そして更に流出筒を閉鎖位置から流出位置に起立せしめる必要があり、容器の内容物の流出を終了した後には、流出筒を流出位置から閉鎖位置に倒伏し、そして更に蓋本体に対して外蓋を閉位置に移動或いは蓋本体に被嵌せしめることが必要であり、容器蓋の操作が相当煩雑になる。
【０００５】
従来の容器蓋に見られる上述したとおりの問題を解決するために、本発明者等は、先に、特願２０００−５７２８６号明細書及び図面において、蓋本体における主壁の上面に流出筒を旋回自在に装着すると共に、蓋本体に外蓋を旋回自在に装着し、外蓋と流出筒との装着位置、寸法等を適宜に設定して、外蓋が閉位置から開位置に旋回せしめられる際には、外蓋が閉鎖位置にある流出筒に干渉して流出筒を閉鎖位置から流出位置に起立せしめ、次いで外蓋及び／又は流出筒の弾性変形に起因して流出筒から離隔して開位置に旋回せしめられ、外蓋が開位置から閉位置に旋回せしめられる際には、外蓋が流出位置にある流出筒に干渉して流出筒を流出位置から閉鎖位置に倒伏せしめて、該閉位置に旋回せしめられる、ように構成した容器蓋を提案した。蓋本体に主壁上には流出位置規制片と閉鎖位置規制片とが配設されており、流出筒が流出位置に起立せしめられると流出筒が流出位置規制片に当接せしめられて流出筒が流出位置を越えて旋回することが阻止され、流出筒が閉鎖位置に倒伏せしめられると流出筒が閉鎖位置規制片に当接せしめられて流出筒が閉鎖位置を越えて旋回即ち倒伏せしめられるとが阻止される。かような容器蓋においては、蓋本体の主壁と閉鎖位置にある流出筒を覆うことができる外蓋を付加するにもかかわらず、単に外蓋を開閉せしめさえすれば、これに応じて流出筒が所要とおりに旋回、即ち起立及び倒伏せしめられる。
【０００６】
しかしながら、本発明者が先に提案した容器蓋にも次のとおりの解決すべき問題が存在することが判明した。即ち、外蓋の旋回動に応じて流出筒が所要とおりに旋回動せしめられている場合には特に問題は発生しないが、外蓋が開位置に位置せしめられている時に流出筒が単独で偶発的に閉鎖位置に倒伏せしめられた場合、後に更に詳述する如く、外蓋を閉位置まで旋回動せしめることが、更に詳細には閉鎖位置にある流出筒に外蓋が干渉した時に外蓋及び／又は流出筒を弾性変形せしめて流出筒を外蓋内に進入せしめることが、不可能ではないにしても相当困難になる。
【０００８】
本発明は上述したとおりの事実に鑑みてなされたものであり、その主たる技術的課題は、蓋本体に加えて流出筒及び外蓋を備えた形態であり、外蓋を開閉せしめるとこれに応じて流出筒が所要とおりに起立及び倒伏せしめられることに加えて、外蓋が開位置に位置せしめられている時に流出筒が単独で閉鎖位置に倒伏せしめられた場合においても、充分容易に外蓋を開位置から閉位置に旋回動せしめて流出筒を外蓋内に進入せしめることができる、新規且つ改良された容器蓋を提供することである。
【００１０】
本発明者等は、先に提案した上述したとおりの容器蓋に次のとおりの改良、即ち閉鎖位置規制片を所定値以上の押圧力が作用すると傾動せしめられる形態にせしめ、流出筒が倒伏されて閉鎖位置規制片に当接せしめられた後に、流出筒を介して閉鎖位置規制片に所定値以上の押圧力が加えられると、閉鎖位置規制片が傾動せしめられて流出筒が更に倒伏せしめられ、流出筒を介しての押圧力が解除されると、閉鎖位置規制片が弾性的に復元せしめられる、ように構成することによって、上記主たる技術的課題を達成することができることを見出した。
【００１１】
即ち、本発明によれば、上記主たる技術的課題を達成する容器蓋として、容器の口頚部に装着される蓋本体、貫通流出路を有する流出筒及び外蓋から構成され、
該蓋本体は容器の口頚部の頂面を覆う主壁を有し、該主壁には流出孔が配設されており、
該流出筒は該蓋本体の該主壁の上面に旋回自在に装着されており、該主壁の該流出孔から上方に延びる流出位置においては該貫通流出路が該流出孔を介して容器内に連通せしめられ、閉鎖位置に倒伏せしめられると該貫通流出路が該流出孔と非連通にせしめられ、
該外蓋は閉位置と開位置との間を旋回自在に該蓋本体に装着されており、該閉位置においては該蓋本体の該主壁及び該流出筒を覆い、該開位置においては該蓋本体の該主壁及び該流出筒を露呈せしめ、
該外蓋が該閉位置から該開位置に旋回せしめられる際には、該外蓋は該閉鎖位置にある該流出筒に干渉して該流出筒を該閉鎖位置から該流出位置に起立せしめ、次いで該流出筒から離隔して該開位置に旋回せしめられ、
該外蓋が該開位置から該閉位置に旋回せしめられる際には、該外蓋は該流出位置にある該流出筒に干渉して該流出筒を該閉鎖位置にせしめて該閉位置にせしめられ、
該蓋本体の該主壁上には、所定値以上の押圧力が作用すると傾動せしめられる閉鎖位置規制片が配設されており、該流出筒が倒伏されて該閉鎖位置規制片に当接せしめられた後に、該流出筒を介して該閉鎖位置規制片に所定値以上の押圧力が加えられると、該閉鎖位置規制片が傾動せしめられて該流出筒が更に倒伏せしめられ、該流出筒を介しての押圧力が解除されると、該閉鎖位置規制片が弾性的に復元せしめられる、
ことを特徴とする容器蓋が提供される。
【００１２】
該閉鎖位置規制片は薄肉下端部を有し、該薄肉下端部を旋回中心として旋回せしめられることによって傾動せしめられるのが好ましい。好適実施形態においては、該流出筒の旋回中心軸線と該外蓋の旋回中心軸線とは実質上平行に延びており、該外蓋の該旋回中心軸線は該流出筒の該旋回中心軸線よりも下方で且つ半径方向外方に位置せしめられている。該外蓋は円形天面壁と該天面壁の周縁から垂下する円筒状スカート壁とを有し、該外蓋が該閉位置から該開位置に旋回せしめられる際には該スカート壁の下端部内周面が該流出筒の先端部に干渉し、該外蓋が該開位置から該閉位置に旋回せしめられる際には該スカート壁の下端乃至下端部内周面が該流出筒の先端部に干渉する。該外蓋の該スカート壁の外周面上端部における、該外蓋の旋回中心軸線から最も離隔した位置には、半径方向外方に突出する把持突起が配設されているのが好ましい。
【００１６】
【発明の実施の形態】
以下、本発明の好適実施形態を図示している添付図面を参照して、更に詳細に説明する。
【００１７】
本発明に従って構成された容器蓋の好適実施形態を図示している図１乃至図３を参照して説明すると、全体を番号２で示す図示の容器蓋は、蓋本体４、流出筒６、外蓋８及び中栓１０から構成されている。蓋本体４と外蓋８とは、ポリプロピレン、ポリエチレンの如き適宜の合成樹脂から一体に成形されている。流出筒６と中栓１０とは、夫々、別個独立に、ポリプロピレン、ポリエチレンの如き適宜の合成樹脂から成形されている。
【００１８】
図１乃至図３を参照して説明を続けると、図示の実施形態における蓋本体４は、実質上水平に延在する円形状の主壁１２と、この主壁１２の周縁から垂下する円筒形状のスカート壁１４とを有する。主壁１２には、その中心から図２において幾分右方に変位した位置に流出孔１６が形成されている。図４及び図５を参照することによって明確に理解される如く、図示の実施形態における流出孔１６は横断面形状が正方形である。主壁１２の下面には流出孔１６の周縁から垂下する四角筒部１８が形成されており、かかる四角筒部の下端には逆止弁２０が配設されている。かかる逆止弁２０は、図５に二点鎖線で図示する如く、蓋本体４を射出成形する際に、四角筒部の対向する２側縁から下方に垂下する２枚の薄肉片２０ａ及び２０ｂを成形し、後にかかる２枚の薄肉片２０ａ及び２０ｂを上方に強制的に折り返して実線で示す状態にせしめることによって好都合に形成することができる。主壁１２の上面には、流出孔１６の周縁から上方に突出する座部２２が形成されている。この座部２２は、図２における断面において円弧状であり、図２において紙面に垂直な方向、図３において上下方向には真直に延びる座面を有する。座部２２の両側には溝２４が形成されている。
【００１９】
図２を参照することによって理解される如く、主壁１２の下面周縁部には環状垂下壁２６が形成されており、かかる垂下壁２６の下面には２条の密封突条が形成されている。主壁１２の上面には、図１及び図３に図示する如く、図３において上下方向に間隔をおいて実質上鉛直に上方に延びる一対の装着壁２８が形成されている。図６に図示する如く、装着壁２８の各々の内面には円形状の軸受凹部３０が形成されている。装着壁２８の各々の内面には、更に、軸受凹部３０の上部を上方に開放せしめている逆三角形状の案内凹部３１も形成されている。
【００２０】
主壁１２の上面には、更に、流出筒６の流出位置を規定する流出位置規制片３２と、流出筒６の閉鎖位置を規制する閉鎖位置規制片３４とが形成されている。流出位置規制片３２は上記装着壁２８の後端（図３において右端）間に配設されており、実質上鉛直に突出する平板形状である。一方、図示の実施形態における閉鎖位置規制片３４は、主壁１２の上面から上方に向かって後方（即ち図２において右方）に傾斜して延びている。所望ならば、閉鎖位置規制片３４を上方に向かって前方（即ち図２において左方）に傾斜せしめることもできる。閉鎖位置規制片３４も全体として平板形状であるが、閉鎖位置規制片３４はその下端部を全幅に渡って延在している薄肉下端部３５を有する。後に更に言及する如く、閉鎖位置規制片３４の上端縁に所定値以上の押圧力が加えられると、閉鎖位置規制片３４は図２に二点鎖線３４Ａで示す如く薄肉下端部３５を中心として図２において時計方向に傾動せしめられ、押圧力が解除されると図２に実線で示す状態に復元せしめられる。
【００２１】
蓋本体４のスカート壁１４の外周面上部には上方を向いた環状肩面３６が形成されている。そして、この環状肩面３６よりも上方にて、スカート壁１４の外周面には環状係止突条３８が形成されている。スカート壁１４の外周面における環状肩面３６よりも下方の部分には、軸線方向に延びる凹凸、即ちローレット４０が形成されている。一方、スカート壁１４の内周面の上部には環状保持突条４２が形成されている。また、スカート壁１４の内周面の中間部には雌螺条４４が形成されている。
【００２２】
蓋本体４と一体に成形される外蓋８は、円形天面壁４６とこの天面壁４６の周縁から垂下する円筒状スカート壁４８とを有する。スカート壁４８の内周面下端には環状係止突条５０が形成されている。図３を参照することによって明確に理解される如く、外蓋８はヒンジ連結手段５４を介して蓋本体４に一体に接続されている。ヒンジ連結手段５４は、外蓋８におけるスカート壁４８の外周面下端における特定角度部位と蓋本体４におけるスカート壁１４の環状肩面３６の特定角度部位との間に配設されており、蓋本体４に対して外蓋８を図１及び図２に二点鎖線８Ａで示す閉位置と図１乃至図３に実線で示す開位置との間を旋回中心軸線５６を中心として旋回自在に接続している。当業者には周知の形態である図示のヒンジ連結手段５４は、外蓋８を閉位置から開位置に向けて所要角度を越えて旋回せしめると外蓋８を開位置に弾性的に偏倚し、そしてまた外蓋８を開位置から閉位置に向けて所要角度を越えて旋回せしめると外蓋８を閉位置に弾性的に偏倚する。外蓋８が図１及び図２に二点鎖線８Ａで示す閉位置に位置せしめられると、外蓋８のスカート壁４８の内周面に形成されている環状係止突条５０が蓋本体４のスカート壁１４の外周面に形成されている環状係止突条３８を弾性的に乗り越えてその下方に係合せしめられ、これによって外蓋８が閉位置に維持される。
【００２３】
図１に図示するとおり、外蓋８のスカート壁４８の外周面上端部における特定角度位置、即ち上記ヒンジ連結手段５４が配設されている角度位置に対して直径方向反対の角度位置には、半径方向外方に突出する把持突起５２が形成されている。そして、この把持突起５２が形成されている角度位置において、スカート壁４８の外周面には他の部分よりも幾分外径が小さくせしめられた没入部５３が形成されている。
【００２４】
図１を参照して説明を続けると、外蓋８におけるスカート壁４８の外周面には計量記号５７が形成されている。かかる計量記号５７は、例えば軸線方向に所要間隔をおいて周方向に延びる複数個の突条でよい。所望ならば、スカート壁４８の内周面に計量記号５７を形成することもできる。後に更に言及する如く、容器内に収容されている液体（例えば洗浄液）を計量しながら排出する場合には、液体を一旦外蓋８内に排出して計量記号５７を参照することによって計量することができる。外蓋８内に排出された液体量と計量記号５７との関係を容易に認識することができるようになすために、蓋本体４と一体に成形される外蓋８は、透明乃至半透明であるのが好適である。蓋本体４と共に成形される外蓋８が非透明である場合には、外蓋８内に排出された液体量と計量記号５７との関係を認識可能にせしめるために、計量記号５７をスカート壁４８の内周面に形成することが望まれる。
【００２５】
図１乃至図３を参照して説明を続けると、流出筒６は基部５８と延在部６０とを有する。図２に明確に図示する如く、流出筒６には基部５８及び延在部６０を通って延びる貫通流出路６２が形成されている。この貫通流出路６２の横断面形状は楕円形の如き適宜の形状でよい。基部５８の外形は、図２において紙面に垂直な方向に延びる略円筒形状でよく、延在部６０の外形は、基部５８に対して実質上垂直に延びる楕円筒形状或いは略円筒形状でよい。基部５８の外形は、蓋本体４の主壁１２に形成されている上記座部２２の上面形状に対応せしめられている。基部５８の両端面には円柱形状の軸部６４が形成されている。かような流出筒６は、その軸部６４を、蓋本体４の主壁１２に形成されている一対の装着壁２８の内面に形成されている上記軸受凹部３０に案内凹部３１を通して強制的に挿入することによって、その軸部６４（及び軸受孔３０）の中心軸線６６を旋回中心軸線として旋回自在に蓋本体４に装着される。後に更に言及する如く、流出筒６は図１乃至図３に実線で示す流出位置と図１乃至図３に二点鎖線６Ａで示す閉鎖位置とに選択的に位置せしめられる。流出筒６の基部５８と延在部６０との境界部には、流出筒６が流出位置にある状態において図２において右方に突出する板状突起６８が形成されている。流出筒６が流出位置から閉鎖位置に旋回せしめられると、流出筒６の延在部６０の下面が蓋本体４の主壁１２に形成されている閉鎖位置規制片３４に当接せしめられる。流出筒６が閉鎖位置から流出位置に旋回せしめられると、流出筒６の板状突起６８が蓋本体４の主壁１２に形成されている流出位置規制片３２の上面に当接し、これによって流出筒６が流出位置を越えて図３において更に時計方向に旋回することが阻止される。図２を参照することによって明確に理解される如く、流出筒６が流出位置に位置せしめられると、流出筒６に形成されている貫通流出路６２が蓋本体４の主壁１２に形成されている流出孔１６に直接的に接続される。流出筒６が二点鎖線６Ａで示す閉鎖位置に位置せしめられると、流出筒６の貫通流出路６２は流出孔１６から離隔せしめられ、流出孔１６の周囲に配設されている座部２２に接触せしめられている流出筒６の外面が流出孔１６を閉じる。
【００２６】
図２を参照して説明を続けると、図示の実施形態においては、流出筒６は旋回中心軸線６６を中心として旋回せしめられ、かかる旋回の際に流出筒６の先端は一点鎖線で示す軌跡Ｘを描く。一方、外蓋８は旋回中心軸線５６を中心として旋回せしめられ、かかる旋回の際に、スカート壁４８の内周面下端における、旋回中心軸線５６から最も離隔した点は一点鎖線で示す軌跡Ｙを描く。図２から明確に理解されるとおり、旋回中心軸線６６と旋回中心軸線５６とは相互に平行であり、旋回中心軸線５６は旋回中心軸線６６よりも下方に且つ半径方向外方に位置せしめられている。図２に図示する軌跡Ｘと軌跡Ｙとを比較参照することによって理解される如く、外蓋８を閉位置から開位置に旋回せしめる際には、外蓋８のスカート壁４８の下端部内周面が流出筒６の先端部に干渉する。従って、外蓋８の旋回に付随して流出筒６も閉鎖位置から流出位置に向けて旋回せしめられる。外蓋８が二点鎖線８Ｂで示す位置まで旋回せしめられ、流出筒６が実線で示す流出位置まで旋回せしめられると、流出筒６の板状突起６８が蓋本体４の主壁１２に形成されている流出位置規制片３２の上面に当接し、これによって流出筒６が図２において更に時計方向に旋回することが阻止される。従って、しかる後においては、外蓋８が流出筒６から離隔せしめられ、流出筒６を流出位置に残留せしめて外蓋８が開位置に旋回せしめられる。
【００２７】
外蓋８を開位置から閉位置に旋回せしめる際には、外蓋８が図２に二点鎖線８Ｃで示す位置まで旋回せしめられると、外蓋８のスカート壁４８が流出筒６の少なくとも大部分を覆い（換言すれば流出筒６の少なくとも大部分が外蓋８のスカート壁４８内に進入し）、外蓋８のスカート壁４８の下端乃至内周面下端部が流出筒６の先端の図２において左端縁に当接する。従って、外蓋８が更に旋回せしめられると、これに付随して流出筒６も流出位置から二点鎖線６Ａで示す閉鎖位置に向けて旋回せしめられる。流出筒６が二点鎖線６Ａで示す閉鎖位置まで旋回せしめられると、流出筒６の延在部６０の下面が蓋本体４の主壁１２に形成されている閉位置規制片３４に当接せしめられ、これによって流出筒６が図２において更に反時計方向に旋回することが制限される。従って、しかる後においては、流出筒６を閉鎖位置に残留せしめて外蓋８が閉位置まで旋回せしめられる。
【００２８】
流出筒６の先端が描く上記軌跡Ｘと、蓋本体８のスカート壁４８の内周面下端における旋回中心軸線５６から最も離隔した点が描く上記軌跡Ｙとは、図２に明確に示す如く、流出筒６が閉鎖位置から流出位置に旋回する方向に見て、流出筒６の閉鎖位置よりも幾分上流側と流出筒６の流出位置よりも幾分上流側で交差するように設定されているのが好ましい。かように設定されている場合には、外蓋８が図２に二点鎖線８Ａで示す閉位置から図２に実線で示す開位置に旋回動せしめられる際には、外蓋８が図２に二点鎖線８Ｂで示す位置から図２に二点鎖線８Ｃで示す位置まで旋回する間に、外蓋８及び／又は流出筒６が幾分弾性変形せしめられて外蓋８が流出筒８から離隔せしめられる。また、外蓋８が図２に実線で示す開位置から図２に二点鎖線８Ａで示す閉位置に旋回動せしめられる際には、外蓋８の旋回に付随して流出筒６が図２に二点鎖線６Ａで示す閉鎖位置まで旋回せしめられた後に、外蓋８及び／又は流出筒６が幾分弾性変形せしめられて外蓋８が流出筒６から離隔せしめられる。
【００２９】
而して、外蓋８が図２に実線で示す開位置にある時に、流出筒６が単独で偶発的に図２に二点鎖線６Ａで示す閉鎖位置に旋回動せしめられた場合、外蓋８を開位置から閉位置に旋回動せしめると、外蓋８は図２に二点鎖線８Ｄで示す位置まで旋回せしめられた時点で始めて流出筒６に当接せしめられる。上記軌跡Ｘと上記軌跡Ｙとを参照することによって明確に理解されるとおり、流出筒６が二点鎖線６Ａで示す位置にあり外蓋８が二点鎖線８Ｄで示す位置にある場合には、外蓋８のスカート壁４８と流出筒６との相互干渉量が相当大きい。従って、流出筒６が二点鎖線６Ａで示す位置から更に図２において反時計方向に旋回動し得ない場合には、外蓋８に相当大きな力を加えて外蓋８及び／又は流出筒６を弾性変形せしめない限り、流出筒６を外蓋８内に進入せしめて外蓋８を閉位置まで旋回動せしめることができず、外蓋８の旋回動が不可能ではないにしても相当困難になる。然るに、本発明に従って構成された図示の容器蓋においては、上述したとおり流出筒６を閉鎖位置６Ａに規制する閉鎖位置規制片３４は上方に向かって所定方向に傾斜して延びており、その上端縁に所定値以上の力が加えられると図２に二点鎖線３４Ａで示す如く薄肉下端部３５を中心として傾動せしめられ、従って流出筒６は閉鎖位置６Ａを越えて図２において反時計方向に二点鎖線６Ｂで示す位置まで旋回動せしめられ、これによって外蓋８のスカート壁４８と流出筒６との相互干渉量が低減乃至消失せしめられる。それ故に、流出筒６が単独で偶発的に図２に二点鎖線６Ａで示す閉鎖位置に旋回動せしめられた場合でも、充分容易に外蓋８を図２に二点鎖線８Ａで示す閉位置まで旋回動せしめることができる。外蓋８が閉位置まで旋回せしめると外蓋８は流出筒６から離隔せしめられ、従って閉鎖位置規制片３４は元の状態に弾性的に復元し、流出筒６は図２に二点鎖線６Ａで示す閉鎖位置に戻される。
【００３０】
図２を参照して説明を続けると、図示の実施形態においては、容器蓋２を容器７０に適用する前に、蓋本体４に中栓１０が組み合わされる。この中栓１０は、円形底壁７２とこの円形底壁７２の周縁から上方に延びる円筒状の側面壁７４を含んでいる。この側面壁７４の内周面には引っ張りリング７６が接続されている。側面壁７４の外周面上端部には、半径方向外側に突出する薄肉フランジ７８が形成されている。かような中栓１０は、その薄肉フランジ７８を蓋本体４におけるスカート壁１４の内周面の上部に形成されている環状保持突起４２に弾性的に係止せしめることによって、比較的弱く、換言すれば小さい力で容易に離脱されるように、蓋本体４に保持される。
【００３１】
図２に図示する如く、中栓１０が組み合わされ、外蓋８が閉位置に位置せしめられた容器蓋２は、ポリエチレンテレフタレートの如き適宜の合成樹脂から形成することができる容器７０の口頸部８０に装着される。容器７０の口頸部８０は略円筒形状であり、その外周面には雄螺条８２が形成されている。容器蓋２は、その蓋本体４３を口頸部８０に被嵌し、閉方向即ち図２において上方から見て時計方向に回転せしめることによって、口頸部８０に装着される。蓋本体４のスカート壁１４の内周面に形成されている雌螺条４４が口頸部８０の雄螺条８２に螺合せしめられる際には、蓋本体４に組み合わされた中栓１０は、その底壁７２及び側面壁７４が口頸部８０内に挿入され、その薄肉フランジ７８が口頸部８０の頂面に当接せしめられる。そして、図２に二点鎖線で示す如く、その薄肉フランジ７８が口頸部８０の頂面に当接することによって中栓１０は蓋本体４に対して相対的に若干上昇され、その薄肉フランジ７８が蓋本体４の垂下壁２６と口頸部８０の頂面との間に把持される。所望ならば、所謂タンパーエビデント特性を付与するために、蓋本体４のスカート壁１４に適宜の形態のタンパーエビデント裾部を付設し、或いは容器蓋２の全体をシュリンクフィルムで覆うこともできる。
【００３２】
例えば液体飲料である容器７０の内容物を飲む際には、蓋本体４のスカート壁１４のローレット４０に指を掛けて、外蓋８を開方向即ち図２において上方から見て反時計方向に回転せしめる。かくすると、蓋本体４の雌螺条４４が口頸部８０の雄螺条８２に沿って移動せしめられる故に、蓋本体４（従って外蓋８、流出筒６）は回転と共に上昇せしめられるが、中栓１０だけは、上述した如く小さな力で容易に離脱され得るように蓋本体４に組み合わされているので、蓋本体４から離脱せしめられて口頸部８０に残留せしめられる。しかる後に引っ張りリング７６に指を掛けて中栓１０を口頸部８０から離脱せしめて口頸部８０を開封する。次いで、中栓１０が離脱された口頸部８０に容器蓋２を再び装着、即ち蓋本体４を口頸部８０に被嵌して閉方向に回転せしめ、蓋本体４のスカート壁１４に形成されている雌螺条４４を口頸部８０の雄螺条８２に螺合せしめる。かくすると、蓋本体４の主壁１２の下面に形成されている環状垂下壁２６が口頸部８０の頂面に当接せしめられ、これによって口頸部８０が密封される。しかる後に旋回中心軸線５６を中心として、外蓋８を図１及び図２に実線で図示する開位置に旋回せしめると、外蓋８のスカート壁４８の下端部内周面が流出筒６の先端部に干渉し、外蓋８の旋回に付随して流出筒６も閉鎖位置から流出位置に向けて旋回せしめられる。外蓋８が二点鎖線８Ｂで示す位置まで旋回せしめられると、流出筒６が実線で示す流出位置まで旋回せしめられ、流出筒６の板状突起６８が流出位置規制片３２の上面に当接すると共に流出筒６の基部５８が流出位置規制片３２の前面に当接し、これによって流出筒６が、図２において更に時計方向に旋回することが阻止される。外蓋８を二点鎖線８Ｂで示す位置より更に時計方向に旋回すると、外蓋８及び／又は流出筒６が弾性変形することによって、外蓋８は流出筒６から離隔せしめられ、流出筒６を流出位置に残留せしめて、外蓋８は開位置まで旋回せしめられる。流出筒６は、流出位置においては主壁１２の流出孔１６から上方に延び、貫通流出路６２が流出孔１６を介して、容器７０内に連通せしめられる。従って、流出筒６の先端部を口に銜えて吸引すると、逆止弁２０の下流側即ち上方が負圧になり、逆止弁２０の薄肉片２０ａ及び２０ｂは図２において上方に折り曲げられ、逆止弁２０が開放される。これによって容器７０に収容されている内容物は、流出孔１６、貫通流出路６２を通って排出される。必要に応じて、容器７０の主部を幾分押し潰して容器７０からの内容物の排出を促進することもできる。所要量の飲料を飲んだ後、流出筒６の吸引又は容器の主部の押し潰しを止めると、逆止弁２０の２枚の薄肉片２０ａ及び２０ｂは、自身の弾性力により、図２において下方に復元し、逆止弁２０は閉鎖される。その後、旋回中心軸線５６を中心として、外蓋８を図１及び図２に図示する閉位置に旋回せしめる。この際には、外蓋８が図２に２点鎖線８Ｃで示す位置まで旋回せしめられると、外蓋８のスカート壁４８の下面乃至内周面下端部が流出筒６の先端に当接し、従って外蓋８が更に旋回せしめられると、これに付随して流出筒６も流出位置から二点鎖線６Ａで示す閉鎖位置に向けて旋回せしめられる。流出筒６が図１乃至図２において二点鎖線６Ａで示す閉鎖位置まで旋回せしめられると、流出筒６の延在部６０の下面が蓋本体４の主壁１２に形成されている閉位置規制片３４に当接せしめられ、これによって流出筒６が更に反時計方向に旋回することが制限される。流出筒６が二点鎖線８Ａで示す閉鎖位置に位置せしめられると、流出筒６の貫通流出路６２は流出孔１６から離隔せしめられ、流出孔１６の周囲に配設されている座部２２に接触せしめられている流出筒６の外面が流出孔１６を閉じる。かくして、流出筒６を通しての内容物の排出が充分確実に密封される。従って、所望ならば逆止弁２０は省略することもできる。外蓋８は更に旋回せしめられて、図２に二点鎖線８Ａで示す閉位置にせしめられる。
【００３３】
外蓋８の開閉旋回動は、スカート壁４８の外周面上端部に配設されている把持突起５２に指を掛けて遂行することができる。この点に関しては次の事実が注目されるべきである。即ち、スカート壁４８の外周面上端部に代えて外周面下端部に把持突起を形成することも意図され得るが、スカート壁４８の外周面下端部に把持突起を形成した場合、外蓋８が流出筒６から離脱される時及び外蓋８が流出筒６に当接せしめられた時に、把持突起に掛けた指が、容器７０内に収容されている液体が流出せしめられる流出筒６の先端に接触する虞がある。これに対して、スカート壁４８の外周面上端部に把持突起５２を形成すると、把持突起５２に掛けた指が流出筒６の先端に接触する虞は皆無である。
【００３４】
容器７０に収容された液体が洗浄液等であり、所要量計量して排出することが望まれる場合には、外蓋８を計量カップとして使用して次のとおりの操作を遂行することができる。最初に、外蓋８を図２に二点鎖線８Ａで示す閉位置から図２に二点鎖線８Ｂで示す位置まで旋回し、流出筒６を流出位置に位置せしめる。次いで、容器７０自体を傾動せしめて、容器７０及び容器蓋２を図７に図示する状態にせしめる。しかる後に、例えば容器７０の主部を押し潰して容器７０から外蓋８内に液体を排出する。この際には、外蓋８に配設されている計量記号５７を参照して排出量を計量する。所要量の液体を排出した後においては、例えば、外蓋８自体は図７に図示する状態に維持して、容器７０と容器蓋２における蓋本体４及び流出筒６を図７において反時計方向に旋回せしめて流出筒６を外蓋８から離脱せしめ、しかる後に外蓋８を適宜に傾動せしめて外蓋８内に存在する液体を所要場所に排出する。
【００３５】
【発明の効果】
本発明の容器蓋においては、蓋本体に加えて流出筒及び外蓋を備えた形態であり、外蓋を開閉せしめるとこれに応じて流出筒が所要とおりに起立及び倒伏せしめられることに加えて、外蓋が開位置に位置せしめられている時に流出筒が単独で閉鎖位置に倒伏せしめられた場合においても、充分容易に外蓋を開位置から閉位置に旋回動せしめて流出筒を外蓋内に進入せしめることができる。
【図面の簡単な説明】
【図１】本発明に従って構成された容器蓋の好適実施形態を示す斜面図。
【図２】図１に示す容器蓋の縦断面図。
【図３】図１に示す容器蓋の平面図。
【図４】図１に示す容器蓋の逆止弁を示す部分平面図。
【図５】図１に示す容器蓋の逆止弁を示す部分断面図。
【図６】図１に示す容器蓋の装着壁の内面を示す部分斜面図。
【図７】図１に示す容器蓋における外蓋を計量カップとして使用する様式を説明するための図２と同様の縦断面図。
【符号の説明】
２：容器蓋
４：蓋本体
６：流出筒
８：外蓋
１２：主壁
１６：流出孔
３２：流出位置規制片
３４：閉鎖位置規制片
３５：薄肉下端部
４６：円形天面壁
４８：スカート壁
５２：把持突起
５６：旋回中心軸線
５７：計量記号
６２：貫通流出路
６６：旋回中心軸線
７０：容器
８０：口頸部
【図１】
0004585093.tif 000002
【図２】
0004585093.tif 000003
【図３】
0004585093.tif 000004
【図４】
0004585093.tif 000005
【図５】
0004585093.tif 000006
【図６】
0004585093.tif 000007
【図７】
0004585093.tif 000008